(57)【特許請求の範囲】
【請求項１】
落下防止工として構築物又は建設物に取付ける吊り足場に用いる、吊金具であって、
互いに連結する複数の足場板の底部を跨ぐように配置する底部と、
前記底部から上方に突設し、足場板間の隙間に差し込み可能な突出部と、
前記底部から上方に突設し、前記突出部の両側に設ける壁部と、
前記突出部と前記壁部との間の空間に足場板のフレームを上方から挟むことで、隣り合う足場板同士を固定可能な、フレーム収容部と、
を少なくとも有し、
前記突出部の上部に、索条との連結機構を設けたことを特徴とする、
吊金具。
【請求項２】
前記壁部に欠損部分を設け、該欠損部分に足場板の縦材を収容可能としたことを特徴とする、請求項１に記載の吊金具。
【請求項３】
落下防止工として構築物又は建設物に取付ける、吊り足場であって、
互いに連結する複数の足場板と、
前記複数の足場板の底部を跨ぐように配置し、且つ前記足場板同士の隙間から該足場板の上方へ露出して、索条と連結可能な、請求項１または２に記載の吊金具と、
複数の足場板の表面または裏面、あるいは両方に、前記足場板と連結する単管をそれぞれ設けて、前記複数の足場板同士の連結を補強する、補強具と、
を少なくとも有することを特徴とする、
吊り足場。
【請求項４】
複数の足場板で構成する吊り足場を地組してから吊り上げて、構築物又は建設物に取付ける、吊り足場の架設方法であって、
（ａ）吊り足場の地組の際に、
（ａ１）互いに連結する複数の足場板の底部を跨ぐように配置し、且つ前記足場板間の隙間から該足場板の上方に露出して索条と連結可能な請求項１または２に記載の吊金具を、前記足場板に取付ける工程と、
（ａ２）複数の足場板の表面または裏面、あるいは両方に、前記足場板と連結する単管をそれぞれ設けて、前記複数の足場板同士の連結を補強する工程と、
を順序を問わずに行い、
（ｂ）前記吊金具に連結した索条を牽引して前記吊り足場を吊り上げ、
（ｃ）前記構築物又は建設物に前記足場板を懸吊してから、前記吊金具から索条を取り外す、ことを特徴とする、
吊り足場の架設方法。
【発明の詳細な説明】
【技術分野】
【０００１】
本発明は、吊り足場および吊り足場の架設方法に関し、より詳しくは、高速道路や高架橋などの橋梁の下方に、落下防護工として設ける吊り足場、吊り足場の架設方法および吊金具に関する。
【背景技術】
【０００２】
高所作業のための落下防護工として、橋梁の下方に設ける吊り足場が知られている。
この吊り足場の架設方法として、以下の特許文献１に記載の発明がある。
特許文献１に記載の方法は、概ね以下の手順からなる。
・手順１：複数の足場板と、足場板の表面（上面）と懸吊具を介して連結する横架材（角形鋼管）とで、吊り足場を地組する。
・手順２：横架材に連結した索条によって吊り足場を橋梁まで牽引する。
・手順３：橋梁に吊り足場を懸吊してから、前記懸吊具を解放して、足場板から横架材を取り外して撤去する。
上記の手順により、特許文献１に記載の方法は、横架材の早期転用を可能としたことを発明の要旨とするものである。
【先行技術文献】
【特許文献】
【０００３】
【特許文献１】特許第５０９７３１３号公報
【発明の概要】
【発明が解決しようとする課題】
【０００４】
一方、前記特許文献１に記載の方法では、以下の問題のうち、少なくとも何れか１つの問題が考えられる。
（１）吊り足場の吊り上げに横架材を必須とする。横架材は現場条件に合わせて適宜製作した専用の鋼材（角形鋼管など）を用いることが一般的であり、コスト増につながる。
（２）前記（１）のコスト増をなるべく抑えるために、特許文献１では横架材の転用が可能な点を特徴としているものの、実際に横架材を転用する際には、吊り足場から撤去した横架材の吊り降ろし作業を慎重に行わなければならなかったり、吊り足場の解体時には、結局横架材を手配して再度取付けなければならなかったりする。すなわち、実際の現場では、横架材の転用作業は、煩雑且つ面倒で非現実的な作業であった。
【０００５】
よって、本発明は、専用の横架材の手配や、該横架材の転用を行わずとも、施工コストの低減や施工上の利便性に優れる手段の提供を目的の一つとするものである。
【課題を解決するための手段】
【０００６】
上記の課題を解決すべくなされた本願の第１発明は、落下防止工として構築物又は建設物に取付ける吊り足場に用いる、吊金具であって、互いに連結する複数の足場板の底部を跨ぐように配置する底部と、前記底部から上方に突設し、足場板間の隙間に差し込み可能な突出部と、前記底部から上方に突設し、前記突出部の両側に設ける壁部と、前記突出部と前記壁部との間の空間に足場板のフレームを上方から挟むことで、隣り合う足場板同士を固定可能な、フレーム収容部と、を少なくとも有し、前記突出部の上部に、索条との連結機構を設けたことを特徴とする。
また、本願の第２発明は、前記第１発明において、前記壁部に欠損部分を設け、該欠損部分に足場板の縦材を収容可能としたことを特徴とする。
また、本願の第３発明は、落下防止工として構築物又は建設物に取付ける、吊り足場であって、互いに連結する複数の足場板と、前記複数の足場板の底部を跨ぐように配置し、且つ前記足場板同士の隙間から該足場板の上方へ露出して、索条と連結可能な、前記第１発明または第２発明に記載の吊金具と、複数の足場板の表面または裏面、あるいは両方に、前記足場板と連結する単管をそれぞれ設けて、前記複数の足場板同士の連結を補強する、補強具と、を少なくとも有することを特徴とする。
また、本願の第４発明は、複数の足場板で構成する吊り足場を地組してから吊り上げて、構築物又は建設物に取付ける、吊り足場の架設方法であって、  （ａ）吊り足場の地組の際に、（ａ１）互いに連結する複数の足場板の底部を跨ぐように配置し、且つ前記足場板間の隙間から該足場板の上方に露出して索条と連結可能な前記第１発明または第２発明に記載の吊金具を、前記足場板に取付ける工程と、（ａ２）複数の足場板の表面または裏面、あるいは両方に、前記足場板と連結する単管をそれぞれ設けて、前記複数の足場板同士の連結を補強する工程と、を順序を問わずに行い、（ｂ）前記吊金具に連結した索条を牽引して前記吊り足場を吊り上げ、（ｃ）前記構築物又は建設物に前記足場板を懸吊してから、前記吊金具から索条を取り外す、ことを特徴とする。
【発明の効果】
【０００７】
本発明によれば、以下に記載する効果のうち、少なくとも何れか１つの効果を奏する。
（１）足場板同士の隙間を活用した吊金具を用いることで、吊り足場における索条の取付位置の自由度が容易に確保できる。
（２）別途吊り上げ用の索条を連結するための箇所を足場板に新たに設ける必要が無いため、既成の足場板を加工することなく、そのまま利用することができる。
（３）足場板を汎用部材である単管で補強するため、専用の横架材を必要とせず、コストの増大を抑制できる。
（４）足場板の連結構造を、該足場板の上下から単管で補強することにより、吊り足場の安定性が向上する。
（５）横架材を転用するための作業が発生しないため、高所での作業量が減少し、現場作業の安全性が向上する。
【図面の簡単な説明】
【０００８】
【図１】本発明に係る吊り足場の構造を示す概略斜視図。
【図２】本発明に係る吊金具の形状を示す概略斜視図。
【図３】本発明に係る吊金具のその他の形状を示す概略斜視図。
【図４】本発明に係る吊り足場の架設方法の手順（１）を示す概略図。
【図５】本発明に係る吊り足場の架設方法の手順（２）を示す概略図。
【図６】本発明に係る吊り足場の架設方法の手順（３）を示す概略図。
【図７】本発明に係る吊り足場の架設方法の手順（４）を示す概略図。
【発明を実施するための形態】
【０００９】
以下、図面を参照しながら、本発明の実施形態の一例について説明する。
【実施例】
【００１０】
＜１＞全体構成。
図１に、本発明に係る吊り足場の構造を示す。
本発明に係る吊り足場は、互いに連結して通行路を形成する複数の足場板Ａと、前記足場板Ａに取り付けて吊り上げ時の索条と連結可能な吊金具Ｂと、前記足場板Ａの連結を補強する補強手段Ｃと、を少なくとも備えてなる。
その他、吊り足場は、該吊り足場の側方に設置するアサガオなどの公知部材があるが、それらについては図示と詳細な説明を省略する。
以下、各要素の詳細について説明する。
【００１１】
＜２＞足場板。
足場板Ａは、平面視して前後左右方向に連続配置することで、吊り足場での通行路を形成するための部材である。
足場板Ａは、公知の足場用部材を用いることができ、市販の製品ではセーフティＳＫパネルが挙げられる。
図１に示す足場板Ａは、床板１０と、布方向に伸びて一対のフレーム２１と、該一対のフレーム２１の両端に該フレーム２１同士を接続するフレームパイプ２２と、前記一対のフレーム２１間で、該フレーム２１と平行するように配置する横材３０と、前記横材３０と略直交するように設ける縦材４０と、隣り合う足場板と連結するためのジョイント５１および該ジョイント５１を差し込む挿通孔５２と、を少なくとも有して構成している。
【００１２】
＜２．１＞足場板上方からの補強構造。
足場板Ａの上方の所定箇所には、上部側補強手段Ｃ１として、単クランプ６１と単管６２を取り付け可能な機構を設けることができる。
図１では、前記横材３０の上部に上部連結孔３１を設け、床板１０に別途設けた貫通孔１１を介して、前記上部連結孔３１に単クランプ６１を接続している。
そして、前記単クランプ６１に、吊り足場のおやご方向を長手方向とする単管６２を接続していくことで、足場板Ａの連結を上方から補強することができる。
【００１３】
なお、単クランプ６１は、横材３０との連結ではなく床板１０と連結するように構成してもよい。この場合、床板１０に埋め込んである布方向に伸びる補強材（図示せず）に設けてある上部連結孔３１へと単クランプ６１を接続することになる。
【００１４】
＜２．２＞足場板下方からの補強構造。
足場板Ａの下方の所定箇所にも、下部側補強手段Ｃ２として、単クランプを取り付け可能な機構を設けることができる。
図１では、前記横材３０の下部に下部連結孔３２を設け、該下部連結孔３２に単クランプ６１を接続可能としている。
そして、前記単クランプ６１に、吊り足場のころばし方向を長手方向とする単管６２を接続していくことで、足場板Ａの連結を下方から補強することができる。
【００１５】
＜２．３＞吊り足場の盛り替え機構。
その他、足場板Ａの上方の所定箇所には、吊り足場の吊り上げ後の盛り替え時に使用する吊りリング３３を設ける。
図１では、吊りリング３３を、前記フレームパイプ２２の外径よりも内径の大きな輪を、前記フレームパイプ２２に通すように取り付けてある。そして、吊りリング３３を使用する際には、床板１０に設けた貫通孔１１から吊りリング３３を上方に引き出して使用可能としている。
【００１６】
＜３＞吊金具。
図２に、本発明に係る吊金具の形状の一例を示す。
吊金具Ｂは、地組した足場板を吊り上げるための部材である。
吊金具Ｂは、足場板Ａの底面側から取り付け可能であって、索条を取り付けるための機構が、足場板Ａの上部に露出するような形状を備えた部材である。
本実施例では、吊金具Ｂの本体部分を、平板部材からなる底部７１と、該底板７１から上方に突設した突出部７２と、を少なくとも設け、前記底部７１および突出部７２でもって逆Ｔ字型の形状を呈する構成としている。
そして、突出部７２の上部には、突出部の厚さ方向に貫通した貫通孔７２１を設けておく。
この吊金具Ｂの本体部分を、おやご方向で隣り合う足場板Ａの底面を跨ぐように、且つ前記突出部７２の貫通孔７２１が、前記足場板Ａ間の隙間から該足場板Ａの上方へ露出するように配置する。
そして、前記貫通孔７２１にシャックル８０を取り付けることにより、該シャックル８０を介して吊金具Ｂに索条を連結することができる。
また、シャックル８０は、吊金具Ｂが足場板Ａから落下することを防止するための部材としても機能する。
【００１７】
＜３．１＞吊金具の形状例。
図３に、本発明に係る吊金具の形状のその他の例を示す。
吊金具Ｂを構成する底部７１および突出部７２以外の部分は、前記足場板Ａの下部の形状に合わせて構成することができる。
以下、その他の形状例について説明する。
【００１８】
［形状例１］
例えば、図３（ａ）に示すように、吊金具に、前記足場板のフレームや縦材を収容して位置決め可能な部材を設けておくことができる。
本実施例に係る吊金具Ｂは、底部７１の上面から立設し、前記突出部７２から所定距離だけ離隔させてなる壁部７３を、突出部７２を挟んで対向するように設けている。この突出部７２と壁部７３との間の空間に、前記足場板Ａのフレーム２１を収めて位置決め可能なフレーム収容部７４とすることができる。
【００１９】
［形状例２］
また、図３（ｂ）に示すように、前記図３（ａ）に示す壁部７３の一部を欠損させた構造としてもよい。この場合、壁部７３の欠損部分を、前記足場板Ａの縦材４０とフレーム２１とが接続する箇所を収めて位置決め可能な、縦材収容部７５とすることができる。
【００２０】
＜４＞吊り足場の仮設手順。
以下、吊り足場の仮設方法の手順に沿って説明する。
なお、下記に示す各手順は、矛盾しない範囲で、適宜順番を入れ換えたり、同時並行で実施したりすることができる。
【００２１】
＜４．１＞吊り足場の地組作業（図４）。
所定の位置に、地組用の架台Ｄを構築し、当該架台Ｄの上で吊り足場を地組する。
吊り足場の地組手順の一例について説明すると、まず足場板Ａを順に並べて前記ジョイント５１および挿通孔５２や、フレームパイプ２２間を連結するクランプなどの連結手段で連結したのち、並んだ足場板Ａの所定の箇所に、前記吊金具Ｂ、単クランプ、単管からなる補強手段Ｃ（上部側補強手段Ｃ１，下部側補強手段Ｃ２）をそれぞれ取付ける。
そのほか、アサガオなどの公知部材を適宜設置して吊り足場の地組を完成させる。
【００２２】
＜４．２＞吊り足場の吊り上げ（図５）。
地組完成後の吊り足場の吊金具Ｂのシャックル８０に牽引側索条Ｅを連結し、揚重機やジャッキなどの牽引手段Ｆで牽引側索条Ｅを牽引して、吊り足場の吊り上げ作業を行う。
本実施例では、おやご方向およびころばし方向にそれぞれ吊金具を２点設けて、計４点の吊金具を用いて吊り足場の吊り上げ作業を行っている。
【００２３】
＜４．３＞吊り足場の懸吊（図６）。
吊り足場が所定の高さまで吊り上がった後は、橋梁Ｘと足場板Ａの吊りリング３３との間に、前記牽引側索条Ｅとは別の索条（懸吊用索条Ｇ）を連結し、吊り足場を前記２種類の索条で懸吊した状態とする。
【００２４】
＜４．４＞索条の取り外し（図７）。
この状態から、牽引側索条Ｅを撤去し、吊り足場の懸吊を前記懸吊用索条Ｇにゆだねた状態とする。
このとき、足場板Ａの上下にある単管６２は特に転用を想定しないため、外さずにそのままとする。
【００２５】
＜５＞吊り足場の撤去方法。
反対に、橋梁Ｘから吊り足場を撤去する際には、前記した設置手順＜１＞〜＜４＞と逆の手順を行えばよい。
前記の通り、撤去前の吊り足場は、単管６２などの部材が何れかの場所に転用されていることもないため、迅速に作業を行うことができる。
【符号の説明】
【００２６】
Ａ      足場板
Ｂ      吊金具
Ｃ      補強手段
Ｄ      架台
Ｅ      牽引側索条
Ｆ      牽引手段
Ｇ      懸吊側索条
１０    床板
１１    貫通孔
２１    フレーム
２２    フレームパイプ
３０    横材
３１    上部連結孔
３２    下部連結孔
３３    吊りリング
４０    縦材
５１    ジョイント
５２    挿通孔
６１    単クランプ
６２    単管
７１    底部
７２    突出部
７２１  貫通孔
７３    壁部
７４    フレーム収容部
７５    縦材収容部
【図１】
0006355264.tif 000002
【図２】
0006355264.tif 000003
【図３】
0006355264.tif 000004
【図４】
0006355264.tif 000005
【図５】
0006355264.tif 000006
【図６】
0006355264.tif 000007
【図７】
0006355264.tif 000008